【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
焼結多孔質陽極体、前記陽極体の上に配されている誘電体、及び前記誘電体の上に配されている固体電解質を含む固体電解キャパシタ素子；
前記キャパシタ素子を封入しているケーシング材料；
前記陽極体と電気的に接続されており、前記ケーシング材料の外部に位置する部分を含む陽極終端、ここで前記ケーシング材料及び前記陽極終端の外部部分と接触して第１の疎水性被覆が配置されている；及び
前記固体電解質と電気的に接続されており、前記ケーシング材料の外部に位置する部分を含む陰極終端、ここで前記ケーシング材料及び前記陰極終端の外部部分と接触して第２の疎水性被覆が配置されている；
を含むキャパシタアセンブリ。
【請求項２】
前記第１の疎水性被覆、前記第２の疎水性被覆、又は両方が、約５０ナノメートル〜約２マイクロメートルの厚さを有する、請求項１に記載のキャパシタアセンブリ。
【請求項３】
前記第１の疎水性被覆、前記第２の疎水性被覆、又は両方が、１ｋＨｚの周波数及び３０％の相対湿度において求めて約１０以下の比誘電率を有する、請求項１に記載のキャパシタアセンブリ。
【請求項４】
前記第１の疎水性被覆、前記第２の疎水性被覆、又は両方がフルオロポリマーを含む、請求項１に記載のキャパシタアセンブリ。
【請求項５】
前記フルオロポリマーがフルオロアルキル置換エチレン性不飽和モノマーから形成される、請求項４に記載のキャパシタアセンブリ。
【請求項６】
前記フルオロポリマーがフルオロアルキル（メタ）アクリレートから形成される、請求項４に記載のキャパシタアセンブリ。
【請求項７】
前記第１の疎水性被覆、前記第２の疎水性被覆、又は両方がポリ酢酸ビニルを含む、請求項１に記載のキャパシタアセンブリ。
【請求項８】
前記ケーシング材料が、上面及び対向する下面、後面及び対向する前面、並びに２つの対向する側面を画定する、請求項１に記載のキャパシタアセンブリ。
【請求項９】
前記第１の疎水性被覆が前記前面と接触して配置されており、前記第２の疎水性被覆が前記後面と接触して配置されている、請求項８に記載のキャパシタアセンブリ。
【請求項１０】
前記第１の疎水性被覆と接触している前記陽極終端の外部部分が、前記前面に対して概して平行に配置されている、請求項９に記載のキャパシタアセンブリ。
【請求項１１】
前記第２の疎水性被覆と接触している前記陰極終端の外部部分が、前記後面に対して概して平行に配置されている、請求項８に記載のキャパシタアセンブリ。
【請求項１２】
前記キャパシタ素子が、前記固体電解質の上に配されている金属粒子層を含む陰極被覆を更に含み、前記金属粒子層は樹脂状ポリマーマトリクス内に分散されている複数の導電性金属粒子を含む、請求項１に記載のキャパシタアセンブリ。
【請求項１３】
前記陽極体がタンタルを含み、前記誘電体が五酸化タンタルを含む、請求項１に記載のキャパシタアセンブリ。
【請求項１４】
前記固体電解質が複数の導電性ポリマー粒子を含む、請求項１に記載のキャパシタアセンブリ。
【請求項１５】
前記導電性ポリマー粒子が、次式（ＩＩＩ）：
【化１】
2020526916.tif 000001
（式中、
Ｒ７は、線状又は分岐の、Ｃ１〜Ｃ１８アルキル基、Ｃ５〜Ｃ１２シクロアルキル基、Ｃ６〜Ｃ１４アリール基、Ｃ７〜Ｃ１８アラルキル基、又はこれらの組合せであり；
ｑは０〜８の整数である）
の繰り返し単位を有する外因性導電性ポリマーを含む、請求項１４に記載のキャパシタアセンブリ。
【請求項１６】
前記外因性導電性ポリマーがポリ（３，４−エチレンジオキシチオフェン）である、請求項１５に記載のキャパシタアセンブリ。
【請求項１７】
前記粒子がポリマー対イオンも含む、請求項１４に記載のキャパシタアセンブリ。
【請求項１８】
前記固体電解質の上に配されており、予め重合された導電性ポリマー粒子を含む外側ポリマー被覆を更に含む、請求項１に記載のキャパシタアセンブリ。
【請求項１９】
焼結多孔質陽極体、前記陽極体の上に配されている誘電体、及び前記誘電体の上に配されている固体電解質を含む固体電解キャパシタ素子；前記キャパシタ素子を封入しているケーシング材料；前記陽極体と電気的に接続されており、前記ケーシング材料の外部に位置する部分を含む陽極終端；及び、前記固体電解質と電気的に接続されており、前記ケーシング材料の外部に位置する部分を含む陰極終端；を含むキャパシタアセンブリを密封する方法であって、
第１の疎水性被覆配合物を前記陽極終端の前記外部部分と接触して配置し、第２の疎水性被覆配合物を前記陰極終端の前記外部部分と接触して配置すること；及び
前記陽極終端の前記外部部分を折り曲げて、前記第１の被覆配合物が前記ケーシング材料の表面と前記陽極終端の前記外部部分との間にサンドイッチされるようにすること；並びに
前記陰極終端の前記外部部分を折り曲げて、前記第２の被覆配合物が前記ケーシング材料の表面と前記陰極終端の前記外部部分との間にサンドイッチされるようにすること；
を含む上記方法。
【請求項２０】
前記第１の被覆配合物、前記第２の被覆配合物、又は両方が、フルオロポリマー及び溶媒を含む、請求項１９に記載の方法。
【請求項２１】
前記溶媒がヒドロフルオロエーテルを含む、請求項２０に記載の方法。
【請求項２２】
前記第１の被覆配合物、前記第２の被覆配合物、又は両方が、ポリ酢酸ビニル及び溶媒を含む、請求項１９に記載の方法。
【請求項２３】
前記溶媒がエステルを含む、請求項２０に記載の方法。
【請求項２４】
前記第１及び第２の被覆配合物を乾燥又は硬化させて、それぞれ第１及び第２の被覆を形成することを更に含む、請求項１９に記載の方法。
【手続補正２】
【補正対象書類名】明細書
【補正対象項目名】００７３
【補正方法】変更
【補正の内容】
【００７３】
本発明のこれら及び他の修正及び変更は、当業者によって、本発明の精神及び範囲から逸脱することなく実施することができる。更に、種々の態様の複数の形態は、全体的又は部分的の両方で交換することができることを理解すべきである。更に、当業者であれば、上記の記載はほんの一例にすぎず、添付の特許請求の範囲において更に記載される発明を限定することは意図しないことを認識するであろう。
本発明は以下の実施態様を含む。
（１）焼結多孔質陽極体、前記陽極体の上に配されている誘電体、及び前記誘電体の上に配されている固体電解質を含む固体電解キャパシタ素子；
前記キャパシタ素子を封入しているケーシング材料；
前記陽極体と電気的に接続されており、前記ケーシング材料の外部に位置する部分を含む陽極終端、ここで前記ケーシング材料及び前記陽極終端の外部部分と接触して第１の疎水性被覆が配置されている；及び
前記固体電解質と電気的に接続されており、前記ケーシング材料の外部に位置する部分を含む陰極終端、ここで前記ケーシング材料及び前記陰極終端の外部部分と接触して第２の疎水性被覆が配置されている；
を含むキャパシタアセンブリ。
（２）前記第１の疎水性被覆、前記第２の疎水性被覆、又は両方が、約５０ナノメートル〜約２マイクロメートルの厚さを有する、（１）に記載のキャパシタアセンブリ。
（３）前記第１の疎水性被覆、前記第２の疎水性被覆、又は両方が、１ｋＨｚの周波数及び３０％の相対湿度において求めて約１０以下の比誘電率を有する、（１）に記載のキャパシタアセンブリ。
（４）前記第１の疎水性被覆、前記第２の疎水性被覆、又は両方がフルオロポリマーを含む、（１）に記載のキャパシタアセンブリ。
（５）前記フルオロポリマーがフルオロアルキル置換エチレン性不飽和モノマーから形成される、（４）に記載のキャパシタアセンブリ。
（６）前記フルオロポリマーがフルオロアルキル（メタ）アクリレートから形成される、（４）に記載のキャパシタアセンブリ。
（７）前記第１の疎水性被覆、前記第２の疎水性被覆、又は両方がポリ酢酸ビニルを含む、（１）に記載のキャパシタアセンブリ。
（８）前記ケーシング材料が、上面及び対向する下面、後面及び対向する前面、並びに２つの対向する側面を画定する、（１）に記載のキャパシタアセンブリ。
（９）前記第１の疎水性被覆が前記前面と接触して配置されており、前記第２の疎水性被覆が前記後面と接触して配置されている、（１）に記載のキャパシタアセンブリ。
（１０）前記第１の疎水性被覆と接触している前記陽極終端の露出部分が、前記前面に対して概して平行に配置されている、（９）に記載のキャパシタアセンブリ。
（１１）前記第２の疎水性被覆と接触している前記陰極終端の露出部分が、前記後面に対して概して平行に配置されている、（８）に記載のキャパシタアセンブリ。
（１２）前記キャパシタ素子が、前記固体電解質の上に配されている金属粒子層を含む陰極被覆を更に含み、前記金属粒子層は樹脂状ポリマーマトリクス内に分散されている複数の導電性金属粒子を含む、（１）に記載のキャパシタアセンブリ。
（１３）前記陽極体がタンタルを含み、前記誘電体が五酸化タンタルを含む、（１）に記載のキャパシタアセンブリ。
（１４）前記固体電解質が複数の導電性ポリマー粒子を含む、（１）に記載のキャパシタアセンブリ。
（１５）前記導電性ポリマー粒子が、次式（ＩＩＩ）：
【化４】
2020526916.tif 000002
（式中、
Ｒ７は、線状又は分岐の、Ｃ１〜Ｃ１８アルキル基、Ｃ５〜Ｃ１２シクロアルキル基、Ｃ６〜Ｃ１４アリール基、Ｃ７〜Ｃ１８アラルキル基、又はこれらの組合せであり；
ｑは０〜８の整数である）
の繰り返し単位を有する外因性導電性ポリマーを含む、（１４）に記載のキャパシタアセンブリ。
（１６）前記外因性導電性ポリマーがポリ（３，４−エチレンジオキシチオフェン）である、（１４）に記載のキャパシタアセンブリ。
（１７）前記粒子がポリマー対イオンも含む、（１４）に記載のキャパシタアセンブリ。
（１８）前記固体電解質の上に配されており、予め重合された導電性ポリマー粒子を含む外側ポリマー被覆を更に含む、（１）に記載のキャパシタアセンブリ。
（１９）焼結多孔質陽極体、前記陽極体の上に配されている誘電体、及び前記誘電体の上に配されている固体電解質を含む固体電解キャパシタ素子；前記キャパシタ素子を封入しているケーシング材料；前記陽極体と電気的に接続されており、前記ケーシング材料の外部に位置する部分を含む陽極終端；及び、前記固体電解質と電気的に接続されており、前記ケーシング材料の外部に位置する部分を含む陰極終端；を含むキャパシタアセンブリを密封する方法であって、
第１の疎水性被覆配合物を前記陽極終端の前記外部部分と接触して配置し、第２の疎水性被覆配合物を前記陰極終端の前記外部部分と接触して配置すること；及び
前記陽極終端の前記外部部分を折り曲げて、前記第１の被覆配合物が前記ケーシング材料の表面と前記陽極終端の前記外部部分との間にサンドイッチされるようにすること；並びに
前記陰極終端の前記外部部分を折り曲げて、前記第２の被覆配合物が前記ケーシング材料の表面と前記陰極終端の前記外部部分との間にサンドイッチされるようにすること；
を含む上記方法。
（２０）前記第１の被覆配合物、前記第２の被覆配合物、又は両方が、フルオロポリマー及び溶媒を含む、（１９）に記載の方法。
（２１）前記溶媒がヒドロフルオロエーテルを含む、（２０）に記載の方法。
（２２）前記第１の被覆配合物、前記第２の被覆配合物、又は両方が、ポリ酢酸ビニル及び溶媒を含む、（１９）に記載の方法。
（２３）前記溶媒がエステルを含む、（２０）に記載の方法。
（２４）前記第１及び第２の被覆配合物を乾燥又は硬化させて、それぞれ第１及び第２の被覆を形成することを更に含む、（１９）に記載の方法。